(57)【要約】【課題】  表示手段に表示される操作フレームから対応する系統図の選択を行うことができるプラント監視制御装置を提供する。【解決手段】  プラントの指示が可能な操作フレームおよび系統図の表示が可能な系統図フレームをそれぞれ複数有し、操作フレームおよび系統図フレームを表示可能な表示手段３０とを備えたプラント監視制御装置において、操作フレームの指示に対応して設定されている点番号３２と操作フレームとを対応させて記憶する操作フレームデータベース３１と、系統図フレームの機器に対応する点番号３２と系統図フレームとを対応させて記憶する系統図フレームデータベース３３と、表示手段３０に表示された操作フレームの有する点番号３２を操作フレームデータベースから抽出して、点番号３２と一致する点番号３２を有する系統図フレームを系統図フレームデータベース３３から抽出して選択する選択手段３４とを備える。【選択図】        図１
2006092114.tif 000002
【特許請求の範囲】
【請求項１】
複数の機器を有するプラントを制御するための指示が可能な操作フレームおよび上記プラントの機器の系統図の表示が可能な系統図フレームをそれぞれ複数有し、上記操作フレームおよび系統図フレームを表示可能な表示手段とを備えたプラント監視制御装置において、上記操作フレームの指示に対応して設定されている点番号と上記操作フレームとを対応させて記憶する操作フレームデータベースと、上記系統図フレームに表示されている機器に対応する点番号と上記系統図フレームとを対応させて記憶する系統図フレームデータベースと、上記表示手段に表示された上記操作フレームの有する点番号を上記操作フレームデータベースから抽出して、上記点番号と一致する点番号を有する上記系統図フレームを上記系統図フレームデータベースから抽出して選択する選択手段とを備えたことを特徴とするプラント監視制御装置。
【請求項２】
上記選択手段は上記系統図フレームが複数選択された場合、上記複数の選択された系統図フレームの上記点番号の一致数の多いものから順に優先順位を決定することを特徴とする請求項１に記載のプラント監視制御装置。
【請求項３】
上記選択手段は選択した上記系統図フレームの系統図を上記表示手段に表示させることを特徴とする請求項１または請求項２に記載のプラント監視制御装置。
【請求項４】
上記選択手段は上記操作フレームの点番号と一致する上記系統図フレームを抽出できない場合に、上記操作フレームに対応する系統図フレームが存在しないことを上記表示手段に表示させることを特徴とする請求項１ないし請求項３のいずれかに記載のプラント監視制御装置。
【請求項５】
上記系統図は系統図名称を有し、上記選択手段は上記操作フレームの点番号の一致する上記系統図フレームを検出できない場合に、上記操作フレームの点番号の文字列と一致する上記系統図名称を有する上記系統図フレームを選択することを特徴とする請求項１ないし請求項３のいずれかに記載のプラント監視制御装置。
【請求項６】
複数の機器を有するプラントを制御するための指示が可能な操作フレームおよび上記プラントの機器の状況のグラフが表示可能なトレンドグラフフレームをそれぞれ複数有し、上記操作フレームおよびトレンドグラフフレームを表示可能な表示手段とを備えたプラント監視制御装置において、上記操作フレームの指示に対応して設定されている点番号と上記操作フレームとを対応させて記憶する操作フレームデータベースと、上記トレンドグラフフレームに表示されているトレンドグラフに対応する点番号と上記トレンドグラフフレームとを対応させて記憶するトレンドグラフフレームデータベースと、上記表示手段に表示された上記操作フレームの有する点番号を上記操作フレームデータベースから抽出して、上記点番号と一致する点番号を有する上記トレンドグラフフレームを上記トレンドグラフフレームデータベースから抽出して選択する選択手段とを備えたことを特徴とするプラント監視制御装置。
【請求項７】
上記選択手段は上記トレンドグラフフレームが複数選択された場合、上記複数の選択されたトレンドグラフフレームの上記点番号の一致数の多いものから順に優先順位を決定することを特徴とする請求項６に記載のプラント監視制御装置。
【請求項８】
上記トレンドグラフデータベースの点番号を変更する変更手段と、上記変更手段が上記点番号を変更したことを上記選択手段の選択時に通知する通知手段とを備え、上記選択手段は上記通知手段からの通知に基づいて上記トレンドグラフデータベースにアクセスすることを特徴とする請求項６または請求項７に記載のプラント監視制御装置。
【請求項９】
上記トレンドグラフデータベースの点番号を変更する変更手段と、上記変更手段が上記点番号を変更したことを上記選択手段に直ちに通知する通知手段とを備え、上記選択手段は上記通知手段からの通知に基づいて上記トレンドグラフデータベースにアクセスすることを特徴とする請求項６または請求項７に記載のプラント監視制御装置。
【発明の詳細な説明】
【技術分野】
【０００１】
この発明は、ＣＲＴなどの表示手段を有するプラント監視制御装置で、表示手段に表示される操作フレームに対応する系統図およびトレンドグラフの選択を行うことができるものである。
【背景技術】
【０００２】
従来のプラント監視制御装置は、プラントを制御する操作フレームに対して、複数の系統図からあらかじ表示する系統図の候補を操作により決定して登録していた（例えば、引用文献１参照）。
【０００３】
【特許文献１】特開平６−１０２９２６号公報
【発明の開示】
【発明が解決しようとする課題】
【０００４】
従来のプラント監視制御装置は上記のように構成されているため、数百存在する操作フレームに対し、操作フレーム毎に系統図の登録という作業を必要とし、登録時間に多大な時間を要するという問題点があった。
【０００５】
この発明は上記のような問題点を解決するためになされたもので、操作フレームに関連する系統図およびグラフを容易に選択することができるプラント監視制御装置を得ることを目的とする。
【課題を解決するための手段】
【０００６】
この発明は、複数の機器にて成るプラントを制御するための指示が可能な操作フレームおよびプラントの機器の系統図の表示が可能な系統図フレームをそれぞれ複数有し、操作フレームまたはおよび系統図フレームを表示可能な表示手段とを備えたプラント監視制御装置において、操作フレームの指示に対応して設定されている点番号と操作フレームとを対応させて記憶する操作フレームデータベースと、系統図フレームに表示されている機器に対応する点番号と系統図フレームとを対応させて記憶する系統図フレームデータベースと、表示手段に表示された操作フレームの有する点番号を操作フレームデータベースから抽出して、点番号と一致する点番号を有する系統図フレームを系統図フレームデータベースから抽出して選択する選択手段とを備えたものである。
【発明の効果】
【０００７】
本発明のプラント監視制御装置は、複数の機器にて成るプラントを制御するための指示が可能な操作フレームおよびプラントの機器の系統図の表示が可能な系統図フレームをそれぞれ複数有し、操作フレームまたはおよび系統図フレームを表示可能な表示手段とを備えたプラント監視制御装置において、操作フレームの指示に対応して設定されている点番号と操作フレームとを対応させて記憶する操作フレームデータベースと、系統図フレームに表示されている機器に対応する点番号と系統図フレームとを対応させて記憶する系統図フレームデータベースと、表示手段に表示された操作フレームの有する点番号を操作フレームデータベースから抽出して、点番号と一致する点番号を有する系統図フレームを系統図フレームデータベースから抽出して選択する選択手段とを備えたので、操作フレームに関連する系統図フレームを容易に選択することができる。
【発明を実施するための最良の形態】
【０００８】
実施の形態１．
以下、この発明の実施の形態１を図に基づいて説明する。図１はこの発明の実施の形態１のプラント監視制御装置の構成を示す図、図２は図１に示したプラント監視制御装置の操作フレームデータベースのデータ構成の例を示す図、図３は図１に示したプラント監視制御装置の系統図フレームデータベースのデータ構成の例を示す図、図４は図１に示したプラント監視制御装置の表示手段の表示例を示す図である。図において、プラント監視制御装置は複数の機器にて成るプラントを監視制御するもので、例えばＣＲＴにて成り操作フレーム１０と系統図フレーム２０とを表示するための表示手段３０と、操作フレームデータベース３１と、系統図フレームデータベース３３と、選択手段３４とを備える。
【０００９】
そして、操作フレーム１０はプラントの機器に対する指示（操作や表示などの指示が考えられる）を表示することができるもので、例えば図４に示すように××弁に対する操作フレーム１０では、開指示１１、閉指示１２などの指示ボタンが表示されている。また、これら指示ボタンにはそれぞれの指示を管理するための点番号３２が付されている。そして、操作フレームデータベース３１にはこの点番号３２と操作フレーム１０との関係を操作フレーム１０毎に対応させて記憶させている。操作フレームデータベース３１の操作フレーム１に対応する点番号３２のデータ構成の例を図２に示す。操作フレーム１の点番号３２が１番、２番、３番、４番まであり、その１番の点番号３２が１Ａ００１ということを示したものである。
【００１０】
また、系統図フレーム２０はプラントの機器の系統図２３を表示することができるもので、系統図２３にはそれぞれ名称が付されている。そして、系統図フレームデータベース３３には、この系統図フレーム２０に関連する点番号３２を系統図フレーム２３毎に対応させて記憶している。例えば図３に系統図フレームデータデース３３の系統図フレーム△および系統図フレーム○○○と点番号３２とのデータ構成を示す。系統図フレーム△には系統図２３の名称”ＡＢＣ系統図”が付されており、この系統図２３に関連する点番号が１Ａ００１、１Ａ００２、１Ａ００４・・・のように関連づけて格納されている。
【００１１】
さらに、操作フレーム１０には系統図２３を呼び出すスイッチ１３のボタンが設けられている。そして、選択手段３４はこのスイッチ１３にて指示されると、表示手段３０に表示された操作フレーム１０に対応する点番号３２を、操作フレームデータベース３１から抽出して、この点番号３２をキーとして一致する点番号３２を有する系統図フレーム２０を系統図フレームデータベース３３から抽出して選択する。
【００１２】
次に上記のように構成された実施の形態１のプラント監視制御装置の動作について図５のフローチャートに基づいて説明する。まず、選択手段３４は操作フレーム１０のスイッチ１３からの指示を得ると、操作フレーム１０に対応する点番号３２の情報（図２に示すような）を操作フレームデータベース３１から抽出する。次に、その１番目の点番号３２（図２の場合ならば、”１Ａ００１”）と、同じ点番号３２を有している系統図フレーム２０を系統図フレームデータベース３３から検索する。そして、検索されると回数を１回とカウントする。図３に示す系統図フレームデータベース３３ならば、系統図フレーム△が１回とカウントされる。系統図フレーム○はカウントされない（図５のステップＳ４１）。
【００１３】
そしてこの動作を最後の点番号３２（図２ならば番号４まで）まで繰り返し、検索回数を加算していき積算する。次に、点番号がその操作フレームの最後の点番号が否かを判断する（図５のステップＳ４２）。そして、操作フレームのデータベースの最後の点番号まで検索が終了すると、各系統図毎に検索された回数を集計する。この中で検索された回数が一番多いものから第１候補、第２候補の系統図として優先順位を決定する（図５のステップＳ４３）。図３に示す系統図フレームデータベース３３ならば、系統図フレーム△が３回、系統図フレーム○は０回と成る。そして、ここでは図４に示すように第１候補の系統図２０（系統図△：系統図名称；ＡＢＣ系統図）が表示手段３０に表示される。また、他の方法としては図６に示すように第１候補から順番に系統図２３の系統図名称を表示していき、作業者が表示したい系統図２３を選択しその選択した系統図２３を表示手段３０に表示しても良い。
【００１４】
上記のように構成された実施の形態１のプラント監視制御装置は、操作フレームから該当する系統図への絞り込み表示することが自動で行われ、登録作業が必要なくなり手間を大幅に削減することができる。また、選択された系統図フレームに優先順位を設定することにより、いずれの系統図を表示すればよいかが容易に判断することができる。
【００１５】
実施の形態２．
この発明の実施の形態２は、操作フレームデータベースに登録されている操作フレームの点番号が、系統図フレームデータベースの系統図フレームに１つも存在しない場合について説明する。図７に示すように、上記実施の形態１と同様に選択手段３４は操作フレーム１０のスイッチ１３からの指示を得ると、操作フレーム１０に対応する点番号３２の情報を操作フレームデータベース３１から抽出する。次に、その点番号３２と、同じ点番号３２を有している系統図フレーム２０を系統図フレームデータベース３３から検索する（図７のステップＳ４１）。
【００１６】
そしてこの動作を最後の点番号３２まで繰り返し、検索回数を加算していき積算する。次に、点番号がその操作フレームの最後の点番号が否かを判断する（図７のステップＳ４２）。そして、操作フレームのデータベースの最後の点番号まで検索が終了すると、各系統図毎に検索された回数を集計する。この中で検索された回数が一番多いものから第１候補、第２候補の系統図として優先順位を決定する（図７のステップＳ４３）。次に、集計結果全ての系統図フレーム２０の検索回数が０であるか否かを判別する（図７のステップＳ５１）。Ｎｏの場合には上記実施の形態１と同様に第１候補の系統図フレーム２０の系統図２３を表示手段３０に表示する。また、Ｙｅｓの場合には表示手段３０に、選択された系統図フレーム２０が存在しないことを表示する。例えば表示手段３０に図８に示すように第１候補の欄に無しとして表示しても良い。
【００１７】
上記のように構成された実施の形態２のプラント監視制御装置は、操作フレームデータベースの点番号が、系統図フレームデータベースに１つも存在しない場合、そのことを表示手段にて確認することができる。
【００１８】
実施の形態３．
この発明の実施の形態３は、操作フレームデータベースに登録されている操作フレームの点番号の検索結果において、検索回数が同じ系統図が存在する場合について図９のフローチャートに基づいて説明する。まず、上記各実施の形態と同様に、選択手段３４は操作フレーム１０のスイッチ１３からの指示を得ると、操作フレーム１０に対応する点番号３２の情報を操作フレームデータベース３１から抽出する。次に、その点番号３２と、同じ点番号３２を優位している系統図フレーム２０を系統図フレームデータベース３３から検索する（図９のステップＳ４１）。
【００１９】
そしてこの動作を最後の点番号３２まで繰り返し、検索回数を加算していき積算する。次に、点番号がその操作フレームの最後の点番号が否かを判断する（図９のステップＳ４２）。そして、操作フレームのデータベースの最後の点番号まで検索が終了すると、各系統図毎に検索された回数を集計する。この中で検索された回数が一番多いものから第１候補、第２候補の系統図として優先順位を決定する（図９のステップＳ４３）。次に、集計結果全ての系統図フレーム２０の検索回数の差が１より大きいか否かを判別する。
【００２０】
複数の系統図フレーム２０で検索回数が同じものを検出するために行うもので、本実施の形態３においては検索回数１の差は同一と見なして判別する（図９のステップＳ６１）。Ｙｅｓの場合には上記各実施の形態と同様に第１候補の系統図フレーム２０の系統図２３を表示手段３０に表示する。また、Ｎｏの場合には表示手段３０に集計結果にて検索回数が同じ複数の系統図２３の名称を例えば図１０に示すように表示する。そして、作業者が表示したい系統図を選択しその選択した系統図２３を表示手段３０に表示しても良い。
【００２１】
上記のように構成された実施の形態３のプラント監視制御装置は、操作フレームデータベースの点番号の検索回数が同じ系統図が存在した場合にでも対応が可能となる。
【００２２】
実施の形態４．
この発明の実施の形態４のプラント監視制御装置は、操作フレームの点番号と一致する系統図フレームの検索が０の場合についても説明する。図１１はこの発明の実施の形態４のプラント監視制御装置の動作を説明するための図である。まず、上記各実施の形態と同様の工程を経て、選択手段３４にて系統図フレーム２０が選択されなかった場合、操作フレームの点番号毎に決定されている文字列に対し、系統図フレームの名称が同じ文字を含んでいる字数をカウントする。そして、予め閾値設定手段７２より指定された閾値よりそのカウント数が多い場合にその系統図フレーム２０の検索回数を１回とカウントアップする（図１１のステップＳ７１）。
【００２３】
次に、Ｎ番目までの点番号に対しこの検索を繰り返し、検索回数を加算して積算していく。そして、操作フレームのデータベースの最後の点番号まで検索したか否かを判断する（図１１のステップＳ７３）。そして、操作フレームのデータベースの最後の点番号まで検索が終了すると、各系統図毎に検索された回数を集計する。この中で検索された回数が一番多いものから第１候補、第２候補の系統図２３として優先順位を決定する（図１１のステップＳ７４）。そして、上記実施の形態１と同様に第１候補の系統図２３を表示手段３０に表示するようにしてよいし、または、他の方法としては第１候補から順番に系統図２３を表示していき、作業者が表示したい系統図２３を選択しその選択した系統図２３を表示手段３０に表示しても良い。
【００２４】
上記のように構成された実施の形態４のプラント監視制御装置は、操作フレームデータベースの点番号が、系統図フレームデータベースに１つも存在しない場合でも、その点番号の文字列により系統図フレームを絞込むことが可能となる。
【００２５】
実施の形態５．
上記各実施の形態では操作フレームから系統図を選択する例を示したが、以下の実施の形態においては操作フレームからトレンドグラフを選択する場合について示す。図１２はこの発明の実施の形態５のプラント監視制御装置の構成を示す図、図１３は図１２に示したプラント監視制御装置の表示手段の表示例を示す図である。図において、上記各実施の形態と同様の部分は同一符号を付して説明を省略する。プラント監視制御装置は例えばＣＲＴにて成り操作フレーム１０とトレンドグラフフレーム３とを表示するための表示手段３０と、操作フレームデータベース３１と、トレンドグラフフレームデータベース９３と、選択手段９４とを備える。
【００２６】
そして、トレンドグラフフレーム３はプラントの機器の必要なトレンドグラフ８３を表示することができるものである。そして、トレンドグラフフレームデータベース９３には、このトレンドグラフフレーム３に関連する点番号３２をトレンドグラフフレーム３毎に対応させて記憶している。さらに、操作フレーム１０にはトレンドグラフ３を呼び出すスイッチ８２のボタンが設けられている。そして、選択手段９４はこのスイッチ８２にて指示されると、表示手段３０に表示された操作フレーム１０に対応する点番号３２を、操作フレームデータベース３１から抽出して、この点番号３２をキーとして一致する点番号３２を有するトレンドグラフフレーム３をトレンドグラフフレームデータベース９３から抽出して選択する。
【００２７】
次に上記のように構成された実施の形態５のプラント監視制御装置の動作について図１４のフローチャートに基づいて説明する。まず、選択手段９４は操作フレーム１０のスイッチ８２からの指示を得ると、操作フレーム１０に対応する点番号３２の情報（例えば、図２に示すような）を操作フレームデータベース３１から抽出する。次に、その１番目の点番号３２と、同じ点番号３２を有しているトレンドグラフフレーム３をトレンドグラフフレームデータベース９３から検索する。そして、この検索された回数を１回とカウントする（図１４のステップＳ１０１）。
【００２８】
そしてこの動作を最後の点番号３２まで繰り返し、検索回数を加算していき積算する。次に、点番号がその操作フレームの最後の点番号が否かを判断する（図１４のステップＳ１０２）。そして、操作フレームのデータベースの最後の点番号まで検索が終了すると、各トレンドグラフ毎に検索された回数を集計する。この中で検索された回数が一番多いものから第１候補、第２候補のトレンドグラフとして優先順位を決定する（図１４のステップＳ１０３）。そして、ここでは図１３に示すように第１候補のトレンドグラフ８３が表示手段３０に表示される。また、他の方法としては第１候補から順番にトレンドグラフ名を表示していき、作業者が表示したいトレンドグラフフレーム３を選択しその選択したトレンドグラフ８３を表示手段３０に表示しても良い。
【００２９】
上記のように構成された実施の形態５のプラント監視制御装置は、操作フレームから該当するトレンドグラフへの絞り込み表示することが自動で行われ、登録作業が必要なくなり手間を大幅に削減することができる。また、選択されたトレンドグラフに優先順位を設定することにより、いずれのトレンドグラフを表示すればよいかを容易に判断することができる。
【００３０】
実施の形態６．
図１５はこの発明の実施の形態６のプラント監視制御装置の構成を示す図である。図において、上記実施の形態５と同様の部分は同一符号を付して説明を省略する。プラント監視制御装置はトレンドグラフフレーム３の表示を変更するためにそれに伴うトレンドグラフフレームデータベース９３の点番号を変更するための変更手段１１３と、操作フレームから指示されると、表示手段３０に表示された操作フレーム１０に対応する点番号３２を、操作フレームデータベース３１から抽出して、この点番号３２をキーとして一致する点番号３２を有するトレンドグラフフレーム３をトレンドグラフフレームデータベース９３から抽出して選択する選択手段１１１と、変更手段１１３からトレンドグラフフレーム３を変更したことを受付け、表示手段３０の操作フレームからの選択手段１１１に指示が出されると、トレンドグラフフレーム３に変更が生じたことを選択手段１１１に通知する通知手段１１２とを備える。
【００３１】
上記のように構成された実施の形態６のプラント監視制御装置は上記実施の形態５と同様に操作フレームに対応するトレンドグラフフレームを選択する。そして、変更手段１１３からトレンドグラフフレーム３を変更した場合には、そのことを変更手段１１３は通知手段１１２に直ちに通知する。そして、選択手段１１１は操作フレームからの選択指示と同時に通知手段１１２からトレンドグラフフレーム３が変更されたことを通知され、それに基づいて選択手段１１１はトレンドグラフフレームデータベース９３にアクセスして選択を実行する。
【００３２】
上記のように構成された実施の形態６のプラント監視制御装置は、変更手段にトレンドグラフの点番号が変更になった場合でも、その操作フレームに対応するトレンドグラフを選択することが可能となる。また、トレンドグラフフレームが変更されたことを、操作フレームからの指示と同時に通知されるため、選択手段の無用な負荷を低減することができる。
【００３３】
実施の形態７．
図１６はこの発明の実施の形態７のプラント監視制御装置の構成を示す図である。図において、上記実施の形態６と同様の部分は同一符号を付して説明を省略する。操作フレームから指示されると、表示手段３０に表示された操作フレーム１０に対応する点番号３２を、操作フレームデータベース３１から抽出して、この点番号３２をキーとして一致する点番号３２を有するトレンドグラフフレーム３をトレンドグラフフレームデータベース９３から抽出して選択する選択手段１２１と、変更手段１１３からトレンドグラフフレーム３を変更したことを受付け、直ちにトレンドグラフフレーム３に変更が生じたことを選択手段１１１に通知する通知手段１２２とを備える。
【００３４】
上記のように構成された実施の形態７のプラント監視制御装置は上記実施の形態５と同様に操作フレームに対応するトレンドグラフフレームを選択する。そして、変更手段１１３からトレンドグラフフレームを変更した場合には、そのことを変更手段１１３は通知手段１２２に直ちに通知する。そして、選択手段１１１は通知手段１２２から直ちにトレンドグラフフレームに変更が生じたことが通知される。そして、それに基づいて選択手段１２１はトレンドグラフフレームデータベース９３にアクセスして選択を実行する。
【００３５】
上記のように構成された実施の形態７のプラント監視制御装置は、変更手段にトレンドグラフの点番号が変更になった場合でも、その操作フレームに対応するトレンドグラフを選択することが可能となる。また、トレンドグラフフレームが変更されたことを直ちに通知されトレンドグラフフレームデータベースに直ちにアクセスするため、操作フレームから指示が生じた場合、トレンドグラフフレームの選択を直ちに行うことができる。
【００３６】
尚、上記各実施の形態では表示手段に１つの系統図またはトレンドグラフを表示する例を示したが、複数の系統図またはトレンドグラフ（例えば、第１候補と第２候補の２つ）を同時に表示するようにしても良いことは言うまでもない。また、選択された系統図またはトレンドグラフの表示方法は他にも様々な例が考えられる。
【００３７】
また、上記各実施の形態では１つの表示手段に操作フレーム、系統図、トレンドグラフのいずれかを表示する例を示したが、これに限られることはなく、操作フレーム、系統図、トレンドグラフの複数を同時に表示するようにしても良いし、また、複数の表示手段を用いてそれぞれを表示するようにしても良いことは言うまでもない。
【図面の簡単な説明】
【００３８】
【図１】この発明の実施の形態１のプラント監視制御装置の構成を示す図である。
【図２】図１に示したプラント監視制御装置の操作フレームデータベースのデータ構成を示した図である。
【図３】図１に示したプラント監視制御装置の系統図フレームデータベースのデータ構成を示した図である。
【図４】図１に示したプラント監視制御装置の表示例を示した図である。
【図５】図１に示したプラント監視制御装置の動作を説明するためのフローチャートである。
【図６】図１に示したプラント監視制御装置の表示例を示した図である。
【図７】この発明の実施の形態２のプラント監視制御装置の動作を説明するためのフローチャートである。
【図８】この発明の実施の形態２のプラント監視制御装置の表示例を示した図である。
【図９】この発明の実施の形態３のプラント監視制御装置の動作を説明するためのフローチャートである。
【図１０】この発明の実施の形態３のプラント監視制御装置の表示例を示した図である。
【図１１】この発明の実施の形態４のプラント監視制御装置の動作を示したフローチャートである。
【図１２】この発明の実施の形態５のプラント監視制御装置の構成を示す図である。
【図１３】図１２に示したプラント監視制御装置の表示例を示した図である。
【図１４】図１２に示したプラント監視制御装置の動作を説明するためのフローチャートである。
【図１５】この発明の実施の形態６のプラント監視制御装置の構成を示す図である。
【図１６】この発明の実施の形態７のプラント監視制御装置の構成を示す図である。
【符号の説明】
【００３９】
３  トレンドグラフフレーム、１０  操作フレーム、２０  系統図フレーム、
２３  系統図、３０  表示手段、３１  操作フレームデータベース、３２  点番号、
３３  系統図フレームデータベース、３４，９４，１１１，１２１  選択手段、
８３  トレンドグラフ、９３  トレンドグラフフレームデータベース、
１１２，１２２  通知手段、１１３  変更手段。
【図１】
2006092114.tif 000003
【図２】
2006092114.tif 000004
【図３】
2006092114.tif 000005
【図４】
2006092114.tif 000006
【図５】
2006092114.tif 000007
【図６】
2006092114.tif 000008
【図７】
2006092114.tif 000009
【図８】
2006092114.tif 000010
【図９】
2006092114.tif 000011
【図１０】
2006092114.tif 000012
【図１１】
2006092114.tif 000013
【図１２】
2006092114.tif 000014
【図１３】
2006092114.tif 000015
【図１４】
2006092114.tif 000016
【図１５】
2006092114.tif 000017
【図１６】
2006092114.tif 000018